(57)【要約】【課題】予約時に通知される予約番号、暗証番号や予約票、駐車場で発券される駐車券を携えることなく、駐車場への入場、駐車料金の清算、提携店舗の購入金額に応じた料金の割引等を受けることを可能とすること。【解決手段】予約端末１、駐車場の入場機３、駐車料金の自動清算機４、店舗端末５に、クレジットカード、デビットカード等の利用者を判別する一意情報を記録した記録媒体を読み取る機構を設け、この一意情報を駐車場の管理サーバ２に送信し、管理サーバ２は、この一意情報に基づき駐車場の予約、駐車場への入場、駐車料金の清算等を一元的に管理する。また駐車場の利用者が提携先の店舗で買い物等をした場合、購入金額を上記一意情報とともに上記店舗端末５から管理サーバ２に送信し、当該利用者が駐車料金の清算を行う際、上記購入金額を清算機４に送信し購入金額に応じた駐車料金の割引処理を行う。【選択図】          図１
2006331454.tif 000002
【特許請求の範囲】
【請求項１】
空き情報を確認するとともに、入庫予定時間等の予約情報を及び予約者を特定する予約者特定情報を送出する予約機能を有する端末装置と、
端末装置からの予約情報および予約者特定情報を対応付けて管理する管理サーバと、
駐車場の入り口に設けられ入場ゲートの管理を行うとともに、予約者特定情報を入力する入力部、前記入力部からの特定情報に基づいて管理サーバに予約者か否かを問い合わせ、予約者の場合には入場ゲートを制御して入場を許可する入場装置と、
駐車場の出口に設けられ出場ゲートの管理を行うとともに、予約者特定情報を入力する入力部、前記入力部からの特定情報に基づいた駐車料金を算出し、駐車料金の精算処理を行い、出場ゲートを制御して出庫を許可する清算装置とを備え、
さらに、買い物を管理する店舗端末装置で算出され、予約者特定情報と対応付けられた購入金額に応じた割引金額により割り引いた金額で清算を行う
ことを特徴とする駐車場の予約管理装置。
【請求項２】
前記予約者特定情報はクレジット情報であり、予約時、入庫時、出庫時、買い物の清算時に、前記クレジット情報により各情報を対応付けて管理することを特徴とする請求項１記載の予約管理装置。
【請求項３】
前記管理サーバは、
駐車場内の駐車可能エリアを駐車番号で管理し、入庫時に前記入場装置を経由し利用者に駐車番号を通知することを特徴とする請求項１記載の予約管理装置。
【発明の詳細な説明】
【技術分野】
【０００１】
本発明は、利用者が駐車場の予約を、対話形式で、クレジットカード等の利用者を判別する一意情報を記録した記録媒体を用いて行うことができ、また、駐車場と提携している店を利用した際、上記記録媒体により駐車料金の清算を自動的に行うことができる駐車場予約管理装置に関する。
【背景技術】
【０００２】
従来から駐車場予約装置が種々提案されいる（例えば特許文献１参照）。従来、利用者が駐車場の予約を行う際は、駐車場予約装置を使用して、目的地に近い駐車場を探して予約を行い、その際、駐車場予約装置から通知される予約番号または暗証番号を控えるか、または、駐車場予約装置からプリントアウトされる予約番号または暗証番号が記載された予約票を携え、目的の駐車場へ向かい、入庫時、予約番号または暗証番号を入場機のテンキーで入力して、予約確認を行い、駐車場に入場していた。
また、利用者が駐車料金の清算を行う際は、入庫時に入場機から発券される入場日時の記録された駐車券を受け取り、出庫時に自動清算機に駐車券を挿入し、自動清算機は取り込んだ駐車券の入場日時のデータをもとに駐車料金を計算し、その金額を表示し、利用者は表示された料金を入金することにより清算が完了する。
【０００３】
さらに、駐車場と提携している店での購入金額に応じて駐車料金が割引または無料になる場合があるが、従来においては、利用者が店のサービスカウンタ等において駐車場で発券された駐車券とレシートを提示して購入金額に応じて割引券等を受け、出庫時、駐車場にて、割引券をもとに利用金額を駐車場の管理者が手計算で算出し、清算していた。
あるいは、駐車場で発券された駐車券に店での購入金額を書き込む機能を持たせ、出庫時に駐車券に書き込まれた利用金額を元に、自動清算機が購入金額に応じて割引金額を決定し駐車場の利用金額を算出し、その金額を表示し、利用者は表示された料金を入金することにより精算処理をするものもあった。
さらに、暗証番号等を利用者に付与し、該暗証番号により駐車場の予約、駐車場の利用、清算等を管理するものも知られている。
【特許文献１】特開２００１−１９５６１９号公報
【発明の開示】
【発明が解決しようとする課題】
【０００４】
従来の駐車場予約システムでは、予約完了時に駐車場予約装置から通知される予約番号または暗証番号を控えるか、または、駐車場予約装置からプリントアウトされる予約番号または暗証番号が記載された予約票を携える必要があるため煩わしさがあった。
特に、予約番号または暗証番号を控えた紙、または駐車場予約装置からプリントアウトされる予約番号または暗証番号が記載された予約票をなくした場合は、再度、予約確認を行い、予約番号または暗証番号を確認する必要があった。
また、入庫時、予約番号または暗証番号を入場機のテンキーで入力して、予約確認を行い、駐車場に入場する必要があり、入庫時のテンキー入力のためスムーズに入庫できなかった。
さらに、駐車場の利用料金の清算時、駐車場と提携している店での購入金額に応じて駐車料金が割引または無料になる場合、利用者は店のサービスカウンタ等において駐車場で発券された駐車券とレシートを提示して購入金額に応じて割引券等を受ける必要があり、利用者は常に駐車場で発券された駐車券とレシートを携えなければならず、煩わしさがあった。
【０００５】
また、駐車場で発券された駐車券に店での購入金額を書き込む機能を持たせ、出庫時に駐車券に書き込まれた利用金額を元に、自動清算機が購入金額に応じて割引金額を決定し駐車場の利用金額を算出し、その金額を表示し、利用者は表示された料金を入金することにより清算する場合においても、利用者は常に駐車場で発券された駐車券を携えなければならず、煩わしさがあった。
本発明は上記事情に鑑みなされたものであって、本発明の目的は、予約時に通知される予約番号、暗証番号や予約票、駐車場で発券される駐車券を携えることなく、クレジットカード等の利用者を判別する一意情報を記録した記録媒体を用いて、駐車場の予約から駐車場の利用、駐車料金の清算を行うことができ、さらに、駐車場と提携している店での購入金額に応じた駐車料金の割引等を受けることができるようにすることである。
【課題を解決するための手段】
【０００６】
本発明は、図１に示すように、予約端末１、駐車場の入場機３、駐車料金の自動清算機４、及び店舗内の端末５に、クレジットカード、デビットカード等の利用者を判別する一意情報を記録した記録媒体を読み取る機構を設け、この一意情報を駐車場の管理サーバ２に送信し、管理サーバ２は、上記一意情報に基づき駐車場の予約、駐車場への入場、駐車料金の清算等を一元的に管理する。
また、駐車場の利用者が駐車場の提携先の店舗で買い物等をした場合、利用者の購入金額を上記一意情報とともに上記店舗端末５から管理サーバ２に送信し、管理サーバ２は当該利用者が駐車料金の清算を行う際、上記購入金額を清算機４に送信し、清算機３において上記購入金額に基づき駐車料金の割引処理を行う。
本発明は上記構成としたので、利用者は、利用者の一意情報を記録した記録媒体のみを携帯するだけで、駐車場の予約、駐車場の入場、駐車料金の清算を行うことができる。
特に、利用者は、予約時に出力される予約票等を携帯したり、入場機のテンキーを操作することなく、利用者の一意情報を記録した記録媒体のみで駐車場への入場が可能となるので、従来のような煩わしさがない。
また、利用者が駐車場の提携店舗で買い物する際、上記一意情報を記録した記録媒体を携帯するだけで、清算時に購入金額に応じた駐車料金の割引サービスを受けることができ、従来のように駐車場で発券された駐車券とレシートを携える必要がない。
さらに、店舗端末において、提携駐車場の利用者が買い物等をしたとき、管理サーバから通知される利用者の駐車場への入庫時間と、該入庫時間からの経過時間をレシートに印字したりディスプレイに表示することにより、利用者は、現時点までの駐車時間を知ることができ、利用者へのサービス向上を図ることができる。
【発明の効果】
【０００７】
以上説明したように、本発明においては、以下の効果を得ることができる。
（１）利用者は、クレジットカード等の利用者の一意情報を記録した記録媒体のみを携帯するだけで、駐車場の予約、駐車場の入場、駐車料金の清算を行うことができ、従来のように、予約完了時に駐車場予約装置から通知される予約番号または暗証番号を控えたり、駐車場予約装置からプリントアウトされる予約番号または暗証番号が記載された予約票を携える必要がなくなる。
また、利用者は、入庫時、予約番号または暗証番号を入場機のテンキーで入力して、予約確認を行い、駐車場に入場する必要がなく、上記一意情報を記録した記録媒体を入場機に挿入するだけで済む。
さらに、利用者は駐車場で発券された駐車券を常に携帯する必要がなく、上記一意情報を記録した記録媒体を入場機及び自動清算機に挿入するだけで、駐車場の清算が可能となる。
（２）利用者が駐車場の提携店舗で買い物する際、上記一意情報を記録した記録媒体を携帯するだけで、清算時に購入金額に応じた駐車料金の割引サービスを受けることができる。このため、従来のように、利用者が店のサービスカウンタ等において駐車場で発券された駐車券とレシートを提示して購入金額に応じて割引券等を受ける必要がない。
（３）店舗端末において、提携駐車場の利用者が買い物等をしたとき、管理サーバから通知される利用者の駐車場への入庫時間と、該入庫時間からの経過時間をレシートに印字したりディスプレイに表示することにより、利用者は、現時点までの駐車時間を知ることができ、利用者へのサービス向上を図ることができる。  
【発明を実施するための最良の形態】
【０００８】
図１は本発明の実施例のシステムの全体構成を示す図である。
図１において、１は駐車場の予約を行うための予約端末であり、クレジットカード、デビットカード等の利用者を判別する一意情報を記録した記録媒体（以下クレジットカードとして説明する）を読み取る機構を備え、利用者の駐車情報の利用予約を受け付け、利用者のクレジットカード番号、入庫予定時等の情報を駐車場の管理サーバに送信する。
２は駐車場の管理サーバであり、利用者のクレジットカード番号、入庫予定時刻、駐車番号等を管理する利用者情報管理テーブルと、入庫済、予約済等の駐車場内の駐車スペースに割り当てられる駐車番号を管理する駐車番号テーブルを備え、予約端末１からの予約を受け付けるとともに、駐車場の提携先の店舗から送られてくる当該駐車場の利用者の当該店舗における購入金額を受信し、入庫、出庫時に入場機３に入場許可を通知したり、自動清算機４に入庫時間、当該利用者の提携店舗におけ購入金額等を通知する。
３は入場機であり、利用者のクレジットカードを読み取る機構を備え、クレジットカードから読み取った情報に基づき利用者を判別して、駐車場への入場を許可する。
４は清算機であり、利用者のクレジットカードを読み取る機構を備え、クレジットカードから読み取った情報に基づき利用者を判別して、利用者の駐車場利用料金を算出し、料金の清算を行う。
５は店舗内に設置される端末であり、利用者のクレジットカードを読み取る機構を備え、クレジットカードから読み取った情報に基づき利用者を判別して、提携先の駐車場の利用者の購入金額を上記駐車場の管理サーバに通知する。
【０００９】
予約端末１は、図２に示すように利用者からの照会に応じて、画面に駐車場の空き情報を表示するための表示部１ａと、利用者が目的地に近い駐車場を選択したり、入庫予定時刻を入力するための選択指示部１ｂと、クレジットカードのＭＳ（磁気ストライプ）情報を読み込みためのカードリーダ部１ｃと、駐車場の管理サーバ２との間で通信を行うための通信制御部１ｄと、上記予約に必要な処理を行うＣＰＵ１ｅと、プログラムやデータを格納するメモリ１ｆとを備える。
利用者が予約を行う際は、予約端末１のカードリーダ部１ｃにクレジットカードを読み込ませ、選択指示部１ｂにより駐車場を選択し、さらに、入庫予定時刻を入力する。
予約端末１は、選択された駐車場の管理サーバ２に予約可能か問い合わせ、予約可能の場合は、入庫予定時刻及びクレジットカード番号を駐車場の管理サーバに送信する。
【００１０】
駐車場の管理サーバ２は、ＣＰＵ、メモリ、外部記憶装置や上記予約端末１や後述する入場機３、清算機４、店舗端末５と通信するための通信制御部等を備えた処理装置であり、利用者の利用情報を管理する利用者情報管理テーブルと、駐車場内の駐車場所を管理する駐車番号テーブルを持つ。
上記利用者情報管理テーブルは、予約端末１から送信されたクレジット番号等の一意情報を元に利用者の一意情報単位に作成され、図３に示すように、クレジットカード番号、入庫予定時刻、駐車番号、入庫時間、提携先店舗における利用者の購入金額を管理する。また、予約時には、予約情報として、上記クレジット番号、入庫予定時刻、駐車番号を設定する。なお、駐車番号は、駐車場内の各駐車スペースに割り当てられる番号である。
駐車番号テーブルは、上記駐車番号により駐車場内の各駐車スペースを管理し、駐車番号が割り当てられた駐車スペースが入庫済か、予約済か、出庫済か等の空き状態を管理する。
上記管理サーバは、予約、入庫、出庫時に上記駐車番号テーブルを更新し、予約端末からの問い合わせがあると、上記駐車場番号テーブルにより、空いている駐車番号を検索する。そして、空きがある場合は、予約可能として予約端末１に予約許可を与える。
予約破棄時は、例えば、予約破棄が入庫予定時刻前なら、上記駐車番号テーブルから予約情報を消去し、駐車場料金の請求を行わないようにし、予約破棄が入庫予定時刻以降ならば、入庫予定時刻から予約破棄までの時間を算出し、時間に応じた料金を請求し、同時に上記駐車番号テーブルから予約情報を消去する。
また、入庫予定時間から一定時間が経過したなら、上記駐車番号テーブルからから予約情報を消去し、かつ、入庫予定時刻から予約破棄までの時間を算出し、時間に応じた料金を請求する。
【００１１】
入場機３は、図４に示すように駐車場の入口に設けられた入場ゲートを制御する入場ゲート制御部３ａと、駐車場の利用者に駐車番号を知らせる駐車番号表示部３ｂと、クレジットカードのＭＳ情報を読み込むカードリーダ部３ｃと、管理サーバ２と通信を行うための通信制御部３ｄと、入場機３を制御するＣＰＵ３ｅと、プログラムやデータを格納するメモリ３ｆとを備える。
入庫時、利用者がクレジットカードを入場機のカードリーダ部３ｃに挿入すると、入場機３はクレジットカードのＭＳ情報からクレジットカード番号を読み取り、駐車場の管理サーバ２に上記利用者が予約者であるかを確認する。
駐車場の管理サーバ２は入場機３から問い合わせがあると、上記クレジットカードのＭＳ情報をキーに前記利用者情報管理テーブルの予約情報を検索し、予約者か否かを判定する。
予約者の場合は、入場許可通知と、あらかじめ確保していた駐車番号を入場機３に通知し、入場機３は前記入場ゲート制御部３ａにより駐車場の入口に設けられたゲートを上げ、利用者の入場を許可する。
また、管理サーバ２にて予約者でないと判定された場合は、駐車番号テーブルを参照して駐車スペースに余裕があるかを判定し、余裕があれば入場許可と駐車可能な駐車番号を入場機３に通知する。同時に、駐車番号テ−ブルに駐車番号を書き込み、ＭＳ情報と入場時間を利用者情報管理テーブルに書き込む。
【００１２】
店舗端末５は、駐車場と提携している店舗内に設置されるＰＯＳ端末であり、前記クレジットカードのＭＳ情報を読み込むカードリーダ部と、駐車場の管理サーバ２と通信するための通信制御部を備える。
駐車場と提携している店で利用者が買い物をした場合、上記店舗端末のカードリーダ部で、クレジットカードを読み込ませ、店舗端末５から、提携先の駐車場の管理サーバ２に該当するクレジット番号が存在するか問い合わせる。
そして、管理サーバ２は利用者情報管理テーブルに利用者のクレジット番号が存在する場合は、店舗端末５から、クレジットカード番号と購入金額データを駐車場の管理サーバ２に送信する。
駐車場の管理サーバ２は、管理サーバ内の利用者情報管理テーブルから該当するクレジット番号を検索し、該当するクレジット番号の管理テーブルの購入金額に今回の購入金額と前回の購入金額を足したものを書き込む。また、上記利用者の入庫時間を店舗端末５に送信する。
店舗端末５では、上記入庫時間から現時点までの経過時間を求める。そして、図５（ａ）に示すように利用者の購入品、購入金額と上記入庫時間と経過時間を印字したレシートを発行する。また、店舗端末のディスプレイに利用駐車場、入庫時間、利用時間等を表示する。
利用者は、上記レシートに印字された入庫時間と経過時間から、現時点までの駐車時間を知ることができる。
【００１３】
自動清算機４は、図６に示すように、駐車場の出口に設けられた出場ゲートを制御する出場ゲート制御部４ａと、駐車料金を表示する料金表示部４ｂと、現金投入部４ｃと、投入された現金を数える現金計数部４ｄと、クレジットカードのＭＳ情報を読み込むカードリーダ部４ｅと、時計機構４ｆと、管理サーバ２と通信を行うための通信制御部４ｇと、自動清算機４を制御するＣＰＵ４ｈと、プログラムやデータを格納するメモリ４ｉとを備える。
出庫時、利用者がクレジットカードを自動清算機４に挿入すると、自動清算機４はクレジットカードのＭＳ情報からクレジットカード番号を読み取り、駐車場内の管理サーバ２に該当クレジットカード番号の購入金額の問い合わせを行う。  駐車場内の管理サーバ２は、サーバ内の利用者情報管理テーブルから該当するクレジット番号を検索し、該当するクレジット番号の利用者情報管理テーブルに記録された提携店舗における利用者の購入金額を自動清算機４に通知する。
自動清算機４は通知された購入金額から割引料金を決定し、駐車場利用料金の算出を行い、料金表示部４ｂに利用料金を表示する。利用者が表示された料金を現金投入部４ｄから入金すると、出場ゲート制御部４ａにより出場ゲートを上げて、出車を許可する。
なお、自動清算機４に、現金による支払い、またはクレジットカードによる支払いを選択ができる手段を設け、現金が選択された場合は、現金を入金することで清算が可能となり、クレジットカードが選択された場合は、クレジットカード会社に料金を自動的に請求する仕組みを持ってもよい。
【００１４】
図７は、上記駐車場予約時の処理フローである。
同図において、利用者が予約申し込み操作をし、クレジットカードを挿入すると（ステップＳ１）、予約端末はクレジットカード番号を読み取り、選択画面を表示する（ステップＳ２，Ｓ３）。利用者が選択画面上で、駐車場の選択操作をすると、予約端末は、該当する駐車場の管理サーバ２に予約が可であるかを問い合わせる（ステップＳ４，Ｓ５）。  予約可でない場合には、駐車場の再選択指示を表示し（ステップＳ６）、ステップＳ３に戻り、利用者は上記駐車場の選択操作を繰り返す。
予約可の場合、予約端末は上記クレジットカード番号を駐車場の管理サーバ２に送信し（ステップＳ７→ステップＳ８）、予約完了表示をする（ステップＳ９）。
図８は、駐車場入場時における処理フローである。
利用者が駐車場の入口で入場機にクレジットカードを挿入すると（ステップＳ１）、入場機はカード番号を駐車場の管理サーバに照会する（ステップＳ２）。駐車場の管理サーバは、利用者情報管理テーブルを検索し、照会のあった利用者が予約者であるかを調べる（ステップＳ３，Ｓ４）。予約者の場合には、予約者名と駐車番号を入場機に通知し（ステップＳ８）、利用者情報管理テーブルに入庫時間をセットする（ステップＳ７）。
また、予約者でない場合には、駐車番号テーブルを検索し（ステップＳ５）、空きがあるかを調べる。空きがない場合には、空きがないことを入場機に通知して処理を終了する。空きがある場合には、入場機に空き有りを通知し、駐車番号テーブルを更新する。さらに、駐車番号を入場機に通知し、利用者情報管理テーブルを更新し、利用者情報管理テーブルに入庫時間をセットする（ステップＳ９，Ｓ７）。
入場機は、上記駐車場の管理サーバからの通知を受信し、利用者が予約者であるか、予約者ではないが駐車場に空きがある場合には、駐車番号を表示して、入場許可ゲートを上げる（ステップＳ１０，Ｓ１１）。
また、予約者でなく、かつ、駐車場に空きがなければ、入場不許可表示をする（ステップＳ１２）。
【００１５】
図９は駐車場の利用者が提携店舗で買い物をしたときの処理フローである。
利用者が提携店舗で買い物をしてレジに行き、クレジットカードを提示すると、店舗端末にクレジットカードを挿入して、クレジット番号を読み取り（ステップＳ１）、提携駐車場の管理サーバに該当者がいるかを問い合わせる（ステップＳ２）。
駐車場の管理サーバでは、クレジット番号が送られてくると、利用者情報管理テーブルを検索し（ステップＳ３）、該当利用者の存在の有無、および、該当利用者が存在する場合には、該当利用者の入庫時間を店舗端末に通知する（ステップＳ４）。
店舗端末では、管理サーバから該当者が存在しないという通知があると、ステップＳ２に戻り、他の提携駐車場に問い合わせを行う。また、該当者が存在する場合には、利用者のクレジット番号および購入金額を駐車場の管理サーバに通知する（ステップＳ５→ステップＳ６）。そして、前記したように、レシートに該当利用者の入庫時間および経過時間を印字する。
駐車場の管理サーバは、クレジット番号と購入金額が通知されると、利用者情報管理テーブルを検索し、該当する利用者の購入金額を検索する（ステップＳ７）。
そして、利用者情報管理テーブルの購入金額を、前回の購入金額に今回の購入金額を加算した金額とする（ステップＳ８）。
図１０は駐車料金清算時の処理フローを示す図である。
利用者が清算機にクレジットカードを挿入すると、清算機はクレジット番号を読み取り、クレジット番号を駐車場の管理サーバに送信する。
駐車場の管理サーバは、該当利用者の購入金額と、入庫時間を利用者情報管理テーブルから検索し（ステップＳ３）、購入金額と入庫時間を清算機に通知する（ステップＳ４）。
清算機では、駐車場の管理サーバから購入金額と入庫時間が通知されると、入庫時間、出庫時間をもとに駐車料金を計算する（ステップＳ５）。そして、上記購入金額から割引料金を決定し（ステップＳ６）、駐車料金から割引料金を引いた駐車料金を計算する（ステップＳ７）。さらに、駐車料金を表示し（ステップＳ８）利用者が入金をすると、入金された現金を計数し（ステップＳ９）、入金を確認した後、出場ゲートを上げる（ステップＳ１０）。
なお、上記説明では、清算機が駐車料金を算出しているが、駐車場の管理サーバで割引料金等を決定して駐車料金を算出し、清算機に送信するようにしてもよい。
【００１６】
（付記１）利用者を判別する一意情報を記録した記録媒体の情報を読み込む手段を備え、該手段により読み取られた一意情報と、利用者の駐車予約情報とを送信し、予約可能かを問い合わせをする予約端末と、
上記予約端末からの問い合わせに対して、予約可能なとき、上記予約端末に許可通知を行うとともに、入場機から利用者の一意情報が通知されたとき、当該利用者が予約者であるか否かを判別し、入場機へ入場許可を通知する手段と、自動清算機から利用者の一意情報が通知されたとき、当該利用者の入庫時間を自動清算機に通知する手段とを備えた駐車場管理サーバと、
利用者を判別する一意情報を記録した記録媒体の情報を読み込む手段を備え、該手段により読み取られた一意情報を上記管理サーバに通知して、該管理サーバからの通知に応じて、利用者に入場許可をする入場機と、
利用者を判別する一意情報を記録した記録媒体の情報を読み込む手段を備え、該一意情報を上記管理サーバに送信し、管理サーバから送られる入庫時間を受信し、該入庫時間と、出庫時間とから駐車場利用料金を算出して表示する自動清算機とを備えた
ことを特徴とする駐車場管理システム。
（付記２）予約端末から送られる利用者からの駐車予約と、該利用者を判別する一意情報を管理する利用者情報管理テーブルと、
上記予約端末からの問い合わせに対して、空きがあるとき、予約可能として予約端末に許可通知を行うとともに、利用者からの駐車予約情報と、該利用者の上記一意情報を、上記利用者情報管理テーブルに登録する手段と、
入場機から利用者の一意情報が通知されたとき、上記利用者情報管理テーブルを参照して当該利用者が予約者であるか否かを判別し、入場機への入場許可を通知する手段と、
店舗端末から通知される利用者の一意情報に基づき、上記利用者情報管理テーブルを検索し、上記利用者情報管理テーブルに登録された利用者であることを該店舗端末に通知するとともに、店舗端末から送信される利用者の購入金額を上記利用者情報管理テーブルに書き込む手段と、
自動清算機から利用者の一意情報が通知されたとき、当該利用者の入庫時間と、購入金額を自動清算機に通知する手段とを備えた
ことを特徴とする駐車場管理サーバ。
（付記３）利用者を判別する一意情報を、当該店舗の提携先の駐車場を管理する管理サーバに送信し、当該店舗の提携先の駐車場を当該利用者が利用しているかを問い合わせる手段と、
上記管理サーバから、上記駐車場を利用していることを通知されたとき、当該利用者の当該店舗における購入金額を上記管理サーバに送信する手段と、
利用者の入庫時間を上記管理サーバに問い合わせ、管理サーバから通知される入庫時間からの経過時間を計算して、入庫時間および経過時間を表示および／または印字する手段を備えた
ことを特徴とする駐車場管理サーバに連携した店舗端末。
（付記４）  利用者を判別する一意情報を記録した記録媒体を読み込む手段と、  該読み込まれた一意情報を駐車場を管理する管理サーバに送信し、該管理サーバに、該当する利用者の入庫時間、および当該利用者の提携先の店舗での購入金額の問い合わせを行う手段と、
上記管理サーバから通知される購入金額に基づき割引料金を決定し、上記入庫時間および出庫時間から駐車場利用料金を算出する手段と、
上記駐車場利用料金を表示し、駐車場料金の清算処理を行う手段とを備えた
ことを特徴とする駐車料金の清算機。
（付記５）  駐車場を管理するためのプログラムであって、
上記プログラムは、上記予約端末からの問い合わせに対して、空きがあるとき、予約可能として予約端末に許可通知を行うとともに、利用者からの駐車予約情報と、該利用者の上記一意情報を、利用者情報管理テーブルに登録する処理と、  入場機から利用者の一意情報が通知されたとき、上記利用者情報管理テーブルを参照して当該利用者が予約者であるか否かを判別し、入場機への入場許可を通知する処理と、
店舗端末から通知される利用者の一意情報に基づき、上記利用者情報管理テーブルを検索し、上記利用者情報管理テーブルに登録された利用者であることを該店舗端末に通知するとともに、店舗端末から送信される利用者の購入金額を上記利用者情報管理テーブルに書き込む処理と、
自動清算機から利用者の一意情報が通知されたとき、当該利用者の入庫時間と、購入金額を自動清算機に通知する処理をコンピュータに実行させる
ことを特徴とする駐車場管理プログラム。
（付記６）  駐車場に連携した店舗端末において、提携先の駐車場へ利用者の購入金額を通知するプログラムであって、
上記プログラムは、
利用者を判別する一意情報を、当該店舗の提携先の駐車場を管理する管理サーバに送信し、当該店舗の提携先の駐車場を当該利用者が利用しているかを問い合わせる処理と、
上記管理サーバから、上記駐車場を利用していることを通知されたとき、当該利用者の当該店舗における購入金額を上記管理サーバに送信する処理と、
利用者の入庫時間を上記管理サーバに問い合わせ、管理サーバから通知される入庫時間からの経過時間を計算して、入庫時間および経過時間を表示および／または印字する処理をコンピュータに実行させる
ことを特徴とする駐車場に連携した店舗端末のプログラム。
（付記７）  駐車料金の清算処理プログラムであって、
上記プログラムは、
利用者を判別する一意情報を記録した記録媒体を読み込む処理と、
該読み込まれた一意情報を駐車場を管理する管理サーバに送信し、該管理サーバに、該当する利用者の入庫時間、および当該利用者の提携先の店舗での購入金額の問い合わせを行う処理と、
上記管理サーバから通知される購入金額に基づき割引料金を決定し、上記入庫時間および出庫時間から駐車場利用料金を算出する処理と、
上記駐車場利用料金を表示し、駐車場料金の清算処理をコンピュータに実行させる
ことを特徴とする駐車料金の清算処理プログラム。
【図面の簡単な説明】
【００１７】
【図１】本発明の実施例の駐車場管理システムの全体構成を示す図である。
【図２】予約端末のハードウエア構成を示す図である。
【図３】利用者情報管理テーブルの一例を示す図である。
【図４】入場機のハードウエア構成を示す図である。
【図５】店舗端末のディスプレイの表示例およびレシートの印字例を示す図である。
【図６】自動清算機のハードウエア構成を示す図である。
【図７】駐車場予約時の処理フローを示す図である。
【図８】駐車場入場時における処理フローを示す図である。
【図９】駐車場の利用者が提携店舗で買い物をしたときの処理フローを示す図である。
【図１０】駐車料金清算時の処理フローを示す図である。
【符号の説明】
【００１８】
１  予約端末
２  管理サーバ
３  入場機
４  清算機
５  店舗内に設置される端末
【図１】
2006331454.tif 000003
【図２】
2006331454.tif 000004
【図３】
2006331454.tif 000005
【図４】
2006331454.tif 000006
【図５】
2006331454.tif 000007
【図６】
2006331454.tif 000008
【図７】
2006331454.tif 000009
【図８】
2006331454.tif 000010
【図９】
2006331454.tif 000011
【図１０】
2006331454.tif 000012